(57)【要約】【課題】  付着又は挿入される絵または写真が立体的且つ美しく見えるようにして，室内装飾品として利用できるようにした写真または絵を飾るための飾り用シートとその製作方法を提供する。【解決手段】  写真および／または絵を飾るための飾り用シート１０に，様々な模様及び色相の絵が組み合わされた下絵２１が表面に描かれている任意の大きさの板または紙からなる絵部２０と，前記絵部に積層させて前記下絵に立体感を与えるためのものであって，様々な模様の絵片３１を有する複数の図形部３０と，前記絵部の表面に前記複数の絵片を任意の間隔で積層させて付着するためのものであって，両面に離型紙４２を備えた複数の大きさのステッカー４１を含むステッカー部４０とを備えた。【選択図】    図１
2006123477.tif 000002
【特許請求の範囲】
【請求項１】
写真および／または絵を飾るための飾り用シートであって：
様々な模様及び色相の絵が組み合わされた下絵が表面に描かれている任意の大きさの板または紙からなる絵部と；
前記絵部に積層させて前記下絵に立体感を与えるためのものであって，様々な模様の絵片を有する複数の図形部と；
前記絵部の表面に前記複数の絵片を任意の間隔で積層させて付着するためのものであって，両面に離型紙を備えた複数の大きさのステッカーを含むステッカー部と；
を備えることを特徴とする，飾り用シート。
【請求項２】
前記図形部の絵片には，絵または写真を付着させるための写真付着表示部が含まれていることを特徴とする請求項１記載の飾り用シート。
【請求項３】
付着対象である前記絵部の前記下絵および／または前記絵片の大きさに応じて，前記ステッカーの大きさが決定されることを特徴とする，請求項１または２に記載の飾り用シート。
【請求項４】
前記ステッカーが円形であることを特徴とする，請求項１から３のいずれかに記載の飾り用シート。
【請求項５】
前記絵部の前記下絵および前記図形部の前記絵片に，
前記ステッカーを付着させる位置を表示するための位置表示部と；
前記下絵の一部と対応する絵が描かれている絵片を識別するために前記下絵の一部と前記対応する絵が描かれている絵片に同一の番号または記号が表示される番号表示部と；
を備えることを特徴とする，請求項１から４のいずれかに記載の飾り用シート。
【請求項６】
請求項１から５のいずれかに記載の飾り用シートが，前面に透明樹脂を有する額縁に収納されていることを特徴とする，装飾ケース。
【請求項７】
２つ折りのカードの一面が，請求項１から５のいずれかに記載の飾り用シートで構成され，他面にはメッセージを記録するための記録面が形成されていることを特徴とする，装飾付きカード。
【請求項８】
写真および／または絵を飾るためのシートを製作する製作方法であって：
任意の大きさの板または紙の表面に，様々な模様及び色相の絵を組み合わせて下絵を作成する段階と；
前記下絵の表面に，様々な模様を有する複数枚の絵片を作成する段階と；
前記下絵に前記複数枚の絵片を任意の間隔で積層させて付着させるために，両面に離型紙を備えた複数の大きさのステッカーを作成する段階と；
を含むことを特徴とする，飾り用シートの製作方法。
【発明の詳細な説明】
【技術分野】
【０００１】
本発明は，飾り用シート，装飾ケース，装飾付きカード及び飾り用シートの製作方法に関し，より詳しくは，付着又は挿入される写真や絵が立体的かつ美しく見えるようにして，室内装飾品として利用できるようにした，写真や絵を飾るための飾り用シート，飾り用シートを利用した装飾ケース，装飾付きカード及び飾り用シートの製作方法に関するものである。
【背景技術】
【０００２】
一般に，絵または写真を保管や展示するためには，額縁やアルバムを用いる。額縁は，厚板に絵または写真を置き，その絵または写真が動くことを防止するために，縁部に装飾用板紙を載置した後，透明ガラスや合成樹脂を有するフレームを前面に結合するもので，絵または写真の保管や展示に用いられる。また，アルバムは，パンフレット形のページに透明な合成樹脂でシートを形成し，この透明合成樹脂のシートで覆って保管や展示する。
【０００３】
最近，絵または写真をより引き立たせて保管・展示するために，絵や写真の周りをいろいろな模様で装飾している。例えば，特許公報１に記載されているように，透明ガラスまたは合成樹脂を備えるフレームと，このフレームに結合させる下絵付きの厚板に，その下絵と同一の絵が描かれている板（以下，装飾絵板とも称する。）を，接着剤の塗布されたボールと合成樹脂棒を用いて所定の間隔で積層形成し，挿入される絵または写真に立体感と装飾感を与えるようにしたものがあった。
【０００４】
ところが，上記写真または絵飾りの場合，下絵の前面に，所定の間隔で積層される装飾絵板を固定させるために，ボール又は合成樹脂棒の両側に接着剤を一々塗布した後，接着剤の塗布されたボールまたは合成樹脂棒の一端を下絵または装飾絵板の上面に接着し，ボールまたは合成樹脂棒の他端を積層される装飾絵板の底面が接着して積層する。
【０００５】
したがって，装飾絵板を積層する度にボールまたは合成樹脂棒に一々接着剤を塗布しなければならないので，工数が多くなって複雑になる。また，塗布される接着剤が作業者の手に付いて装飾絵板の付着時に装飾絵板が手に付いてしまうなどの接着時の不都合により作業が遅くなるという問題点がある。
【０００６】
また，接着剤の塗布の際に接着剤が必要以上に多く塗布された場合，ボールまたは合成樹脂棒と接着される装飾絵板との間に接着剤が押し出された状態で凝固することにより，凝固した接着剤によって美観が損われるという問題点がある。
【０００７】
また，接着される装飾絵板が立体的に見えるように多数の装飾絵板の大きさ，位置及び高低の配列をそれぞれ異ならせる場合には，積層される装飾絵板が厚板の前面に高低の配列を保ちながら付着できるようにボールまたは合成樹脂棒を接着することが望ましい。しかし，その接着位置や装飾絵板の積層の高さが表示されていないため適宜調節しなければならず，積層作業が難しいという問題点がある。
【０００８】
したがって，作業者は，装飾絵板の大きさに応じてボールまたは合成樹脂棒を適当な間隔で付着させて慎重に作業を行わなければならず，間隔が適当でない場合には積層される装飾絵板が立体感を与えなくなるという問題点がある。
【０００９】
【特許文献１】韓国登録実用新案第２０−２６０３４２号明細書
【発明の開示】
【発明が解決しようとする課題】
【００１０】
そこで，本発明は，このような問題に鑑みてなされたもので，その目的とするところは，付着または挿入される絵または写真を立体的かつ美しく見えるようにして，室内装飾として利用できるようにすることにある。
【００１１】
本発明の他の目的は，付着または挿入される絵または写真を立体的且つ美しく見えるように誰でも容易に装飾や製作ができるようにして，成長する子供に自ら努力して作る能力を養わせる教育的な効果を提供することにある。
【００１２】
本発明の別の目的は，立体的かつ美しく製作される絵または写真を，額縁又はカードの形で装飾や製作ができるようにすることにある。
【課題を解決するための手段】
【００１３】
上記課題を解決するために，本発明のある観点によれば，写真および／または絵を飾るための飾り用シートであって：様々な模様及び色相の絵が組み合わされた下絵が表面に描かれている任意の大きさの板または紙からなる絵部と；絵部に積層させて下絵に立体感を与えるためのものであって，様々な模様の絵片を有する複数の図形部と；絵部の表面に複数の絵片を任意の間隔で積層させて付着するためのものであって，両面に離型紙を備えた複数の大きさのステッカーを含むステッカー部と；を備えることを特徴とする，飾り用シートが提供される。
【００１４】
上記図形部の絵片には，絵または写真を付着させるための写真付着表示部が含まれていてもよい。
【００１５】
付着対象である絵部の下絵および／または絵片の大きさに応じて，上記ステッカーの大きさが決定されてもよい。
【００１６】
上記ステッカーが円形であってもよい。
【００１７】
上記絵部の下絵および図形部の絵片に，ステッカーを付着させる位置を表示するための位置表示部と；下絵の一部と対応する絵が描かれている絵片を識別するために下絵の一部と対応する絵が描かれている絵片に同一の番号または記号が表示される番号表示部と；を備えていてもよい。
【００１８】
また，図形部の付着高さ，つまり，積層される絵片と下絵との間隔，または絵片と絵片との間隔の広さに対応して，積層されるステッカーの個数が決定され，上記位置表示部には，ステッカーの積層個数が示されていてもよい。
【００１９】
上記課題を解決するために，本発明の別の観点によれば，上記の飾り用シートが，前面に透明樹脂を有する額縁に収納されていることを特徴とする，装飾ケースが提供される。
【００２０】
上記課題を解決するために，本発明の別の観点によれば，２つ折りのカードの一面が，上記の飾り用シートで構成され，他面にはメッセージを記録するための記録面が形成されていることを特徴とする，装飾付きカードが提供される。
【００２１】
上記課題を解決するために，本発明の別の観点によれば，写真および／または絵を飾るためのシートを製作する製作方法であって：任意の大きさの板または紙の表面に，様々な模様及び色相の絵を組み合わせて下絵を作成する段階と；下絵の表面に，様々な模様を有する複数枚の絵片を作成する段階と；下絵に複数枚の絵片を任意の間隔で積層させて付着させるために，両面に離型紙を備えた複数の大きさのステッカーを作成する段階と；を含むことを特徴とする，飾り用シートの製作方法が提供される。
【発明の効果】
【００２２】
以上説明したように本発明によれば，厚板上に描かれている下絵を有する絵部に，下絵と同じ絵の絵片を有する図形部を接着剤の塗布されたステッカーで付着させて装飾するが，前段または後段に写真または絵を付着させることにより，絵又は写真の周りに立体感を有する装飾を提供することにより，写真と絵を美しく装飾する効果のみならず，写真と絵の周りに装飾製作するとき，成長する子供には自ら努力して作る能力を培養させる教育的な効果も提供することができる。
【発明を実施するための最良の形態】
【００２３】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００２４】
図１は本実施形態の全体構成を示す斜視図である。本実施形態にかかる写真または絵飾り用の飾りシート１０は，板の表面に様々な模様及び色相を有する下絵２１が描かれている絵部２０を形成する段階と，絵部２０の表面に積層させて下絵２１に立体感を与えるための，様々な模様の絵片３１を備える図形部３０を形成する段階と，上記２つの段階で形成された絵部２０に，絵片３１を任意の間隔をおいて積層させて付着させるための，両面に離型紙を有する複数のステッカー４１からなるステッカー部４０を形成する段階とによって製作する。
【００２５】
絵部２０を形成する段階では，任意の大きさで，あまり撓まない程度の厚さを有する板や紙の表面に，様々な模様及び色相を有する絵が組み合わされた下絵２１を印刷し，または直接描いて絵部２０を形成する。
【００２６】
図形部３０を形成する段階では，絵部２０に描かれた下絵２１の表面に積層させるための様々な模様を有する絵片３１を多数形成する。具体的には，任意の材質の紙に，下絵２１に描かれている絵の任意の一部を各々絵片３１として複数個描いて図形部３０を形成する。絵片３１は，絵部２０に積層させ，平面に描かれた下絵２１を立体的にするために用いられる。
【００２７】
この際，図形部３０は様々な材質の紙を使用することができる。また，紙ではなく，板や布など，絵を描いて（または絵を印刷して）絵片３１を形成できるものであれば何でも使用することができる。また，絵の周りに切り取り線を入れ，図形部３０に描かれる絵片３１が切取り線によって図形部３０から容易に分離されるようにしてもよい。
【００２８】
図形部３０は，絵部２０の下絵２１に対して約３枚〜５枚程度の範囲内で形成する。図１の例によれば，２枚の図形部３０が備えられており，各図形部には，下絵２１に描かれている絵の一部（例えば，キリンやタヌキなど）が各々絵片３１として描かれている。
【００２９】
下絵２１に合う絵片３１を容易に探し出すことができるように，下絵２１の任意の部分と，その部分に対応する絵片３１には，同一の番号や記号が表示されている。番号や記号を表示できるように，下絵２１と絵片３１には番号表示部を設けた。また，図２に示したように，複数の図形部３０には一連番号が表示され，絵部２０に絵片３１を積層する順番が分かるようになっている。
【００３０】
上記構成によれば，使用者は，図形部３０に表示された一連番号に基づいて，例えば，まず若い番号をもつ図形部から各絵片３１を切り取り線に沿って切り出し，切り出した絵片３１の番号表示部に表示されている番号と同一の番号が付与されている部分を絵部２０の下絵２１から探しだし，その下絵２１の上に絵片３１を積層させる。この作業を切り出した全ての絵片３１について行った後に，次の図形部３０に対しても同様の作業を行う。使用者が，かかる作業を全ての図形部３０について行えば，絵部２０の下絵２１に，部分的に異なる高さで絵片３１が積層され，下絵２１に描かれている絵が立体的に見えるようになる。
【００３１】
また，図２に示したように，絵片３１には，自分の写真や家族または友達と撮影した写真などの，写真６０を付着させるための写真付着表示部３２を備えてもよい。かかる構成によれば，積層される絵片３１の間に写真６０を挿入したり，接着剤を用いて写真を絵片３１に付着させることができる。
【００３２】
ステッカー部４０を形成する段階では，図１に示したように，両面に接着剤を塗布した紙や板などに，塗布した接着剤を保護する離型紙４２を付着させてステッカー部を形成する。ステッカー４１は，ステッカー部を任意の大きさに切り取って，またはパンチングして形成する。ステッカー４１は，絵部２０の下絵２１の表面に，絵片３１を任意の間隔で積層させて接着するために使用される。
【００３３】
この際，ステッカー４１は，下絵２１と絵片３１の大きさに応じて少なくとも２，３種類の大きさに区分して形成する。その理由は，下絵２１又は絵片３１の大きさが小さいが，付着するステッカー４１が大きい場合，大きいステッカー４１が下絵２１又は絵片３１を覆ってしまい，美観を害するためである。よって，ステッカー４１は，下絵２１または絵片３１の大きさに合わせて形成する。
【００３４】
本実施形態では，図１のようにステッカー４１は円形にするが，これは主に曲線からなる下絵２１及び絵片３１との調和を成して立体感を効果的に表現させるためである。なお，ステッカー４１は円形でなくても構わない。
【００３５】
また，絵部２０の下絵２１と絵片３１の表面には，ステッカー４１の付着位置を表示するための位置表示部５０を設けるが，この際，位置表示部５０は，付着させようとするステッカー４１の数と同数の円を表示してもよい。そうすれば，絵片３１の付着時に初歩者または子供達が何個のステッカー４１を付着させればよいかを理解し易くなる。また，その円は，同心円であってもよい。
【００３６】
例えば，１つの同心円を有する位置表示部５０には１つのステッカー４１を付着させ，２つの同心円を有する表示部５０には２層に積層されたステッカー４１を付着させる。なお，上述のように付着するべきステッカーの数と同数の同心円を表示するのではなく，付着するべきステッカーの数を数字などで表示しても構わない。
【００３７】
この際，位置表示部５０には，下絵２１と絵片３１の大きさに応じて異なる大きさの同心円を表示してもよく，また，その円をステッカー４１と同一の大きさで表示して，同一サイズのステッカー４１を付着させることができるようにしてもよい。
【００３８】
上記の如く構成される本実施形態にかかる，飾り用シートは，下絵２１の描かれた絵部２０，多数の図形部３０及びステッカー部４０を使用説明書と共に密封した状態で販売される。
【００３９】
家族写真や絵または子供の写真を装飾するために，飾り用シートを購入した使用者は，使用説明書に基づいて例えば子供と一緒に図形部３０の絵片３１を，両面に接着力をもつステッカー部４０のステッカー４１を取って，絵部２０の下絵２１の表面に表示された位置表示部５０に接着し，下絵２１に合う絵片３１を付着させて本実施形態にかかる飾り用シートを製作し，写真または絵をその中に組み込むことによって，その写真や絵を装飾する。
【００４０】
以下に，本実施形態にかかる飾り用シートの製作手順をより具体的に説明する。まず，図３ａに示すように，絵部２０の下絵２１に表示されている位置表示部５０にステッカー部４０のステッカー４１を付着させる。この際，位置表示部５０の同心円の数に合わせて同数のステッカー４１を付着させる。
【００４１】
例えば，位置表示部５０が一つの同心円からなる場合には，一つのステッカー４１を正確に位置させて接着し，位置表示部５０が２つの同心円からなる場合には，２つのステッカー４１を積層させた状態で付着させる。
【００４２】
次に，下絵２１に表示されている位置表示部５０へのステッカー４１の付着が完了すると，図３ｂに示すように，複数枚の図形部３０のうち１番目の図形部３０から絵片３１を取り外して，絵部２０に描かれた同一の下絵２１の表面に位置させた状態でステッカー４１に付着させて積層させる。この際，下絵２１の番号表示部に表示された番号と一致する番号が付与されている絵片３１を取り外して付着させることにより，簡単且つ容易に製作することができる。
【００４３】
絵片３１は，絵部２０の表面に付着しているステッカー４１の高さに応じて，絵片３１の高さが互いに異なる状態を維持する。異なる高さで付着している絵片３１の表面に表示されている位置表示部５０にはさらにステッカー４１を付着させ，図３ｃに示すように２番目の図形部３０の絵片３１を取り出して上述の方法によって付着させる。
【００４４】
次に，２番目の図形部３０の絵片３１の表面に位置表示部５０がある場合には，さらにステッカー４１を付着させる。その後，図３ｄに示すように，３番目の図形部３０の絵片３１を付着させ，３番目の図形部３０の絵片３１に位置表示部５０がある場合にはステッカー４１を付着させた後，図３ｅに示すように，４番目の図形部の絵片３１を付着させる。
【００４５】
この際，絵片３１の表面に位置表示部５０がない場合には，ステッカー４１を付着させる必要がないので，絵片３１を付着させない。これにより，絵部２０の上面には多数の絵片３１がそれぞれ異なる高さで付着され，この付着の高さによって立体感が与えられる。
【００４６】
互いに異なる高さで付着した絵片３１のいずれかに表示された写真付着表示部３２には，自分の写真や家族または友達と一緒に撮った写真６０を付着させるが，この際，写真付着表示部３２を有する絵片３１は，最上面又は最下面のいずれかに付着させる。図４は，本実施の形態にかかる写真または絵飾りの側面図である。図４によれば，絵部２０の上に，複数の絵片３０がステッカー４１により付着されて積層され，最上面に写真６０が備えられていることがわかる。
【００４７】
このように製作された飾り用シートは，そのまま卓上に置いて使用してもよく，額縁に収納して装飾ケースとし，絵または写真用の額縁として使用してもよい。
【００４８】
それだけでなく，板や紙を二折りにして，一側面には下絵２１の描かれた絵面７０を形成し，この絵面７０に図形部３０の絵片３１をステッカー４１で積層付着させ，他側面の内面には記録面８０を形成することにより，すなわち，２つ折りのカードの一面を飾り用シートで構成することによって，装飾付きカードとして使用することもできる。
【００４９】
図５は，本実施形態の変形例を示す斜視図であって，任意に設定された大きさの紙を２等分し，一側面には下絵２１の描かれた絵面７０を形成し，他側面には祝賀や記念のメッセージを記録するための記録面８０を形成してカード１００として構成するが，絵面７０には，立体感を持つように様々な模様の絵片３１を積層して形成する。
【００５０】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【００５１】
本発明は，写真または絵を飾るための飾り用シート，額縁，写真盾，カードなどに適用可能である。
【図面の簡単な説明】
【００５２】
【図１】本発明の実施形態にかかる飾り用シートの分解斜視図である。
【図２】同実施の形態にかかる飾り用シートの絵部と図形部の正面図である。
【図３ａ】同実施の形態にかかる飾り用シートの製作状態を示す例示図である。
【図３ｂ】同実施の形態にかかる飾り用シートの製作状態を示す例示図である。
【図３ｃ】同実施の形態にかかる飾り用シートの製作状態を示す例示図である。
【図３ｄ】同実施の形態にかかる飾り用シートの製作状態を示す例示図である。
【図３ｅ】同実施の形態にかかる飾り用シートの製作状態を示す例示図である。
【図４】同実施の形態にかかる飾り用シートの側断面図である。
【図５】同実施の形態の変形例を示す斜視図である。
【符号の説明】
【００５３】
１０      飾り用シート
２０      絵部
２１      下絵
３０      図形部
３１      絵片
４０      ステッカー部
４１      ステッカー
５０      表示部
６０      写真
７０      絵面
８０      記録面
１００      カード
【図１】
2006123477.tif 000003
【図２】
2006123477.tif 000004
【図３ａ】
2006123477.tif 000005
【図３ｂ】
2006123477.tif 000006
【図３ｃ】
2006123477.tif 000007
【図３ｄ】
2006123477.tif 000008
【図３ｅ】
2006123477.tif 000009
【図４】
2006123477.tif 000010
【図５】
2006123477.tif 000011